(57)【要約】【課題】処理内容別の待ち時間に好適な表示を行いユーザに待ち時間を感じさせないことを可能とする通信端末の表示制御方法、通信端末及びプログラムを提供する。【解決手段】デジタル放送により受信した待ち時間素材を処理待ち時間に表示部に表示する通信端末の表示制御方法であって、受信した待ち時間素材を通信端末の処理内容別に関連付けて記憶部に保存し、起動された処理機能の処理待ち時間に、前記記憶部から当該処理内容に関連付けられた待ち時間素材を読み出して表示する。【選択図】図１
2009124590.tif 000002
【特許請求の範囲】
【請求項１】
デジタル放送により受信した待ち時間素材を処理待ち時間に表示部に表示する通信端末の表示制御方法であって、受信した待ち時間素材を通信端末の処理内容別に関連付けて記憶部に保存し、起動された処理機能の処理待ち時間に、前記記憶部から当該処理内容に関連付けられた待ち時間素材を読み出して表示することを特徴とする表示制御方法。
【請求項２】
前記待ち時間素材は、前記通信端末の処理機能別に関連付けられたフォルダ単位に保存され、起動された処理機能の処理待ち時間に、当該機能に関連付けられたフォルダから待ち時間素材を読み出して前記表示部に表示することを特徴とする請求項１記載の表示制御方法。
【請求項３】
前記待ち時間素材は、キーワード別に関連付けられたフォルダ単位に保存され、起動されたテキストデータを使用する処理機能の処理待ち時間に、当該処理機能で使用するテキストデータから切り出したワードと前記キーワードとを照合し、一致するキーワードに関連付けられたフォルダから待ち時間素材を読み出して前記表示部に表示することを特徴とする請求項１又は２記載の表示制御方法。
【請求項４】
前記記憶部には前記通信端末の前記機能別の待ち時間素材がデフォルトデータとして保存されており、起動された処理機能の処理待ち時間に、当該処理機能に関連付けられたフォルダの待ち時間素材が保存されている場合には該待ち時間素材を表示し、該待ち時間素材が保存されていない場合には当該処理機能に関連する前記デフォルトデータを前記表示部に表示することを特徴とする請求項１、２又は３記載の表示制御方法。
【請求項５】
前記記憶部には前記通信端末の前記キーワード別の待ち時間素材がデフォルトデータとして保存されており、起動されたテキストデータを使用する処理機能の処理待ち時間に、当該処理機能で使用するテキストデータから切り出したワードと一致するキーワードに関連付けられたフォルダの待ち時間素材が保存されている場合には該待ち時間素材を表示し、該待ち時間素材が保存されていない場合には当該処理機能で使用するテキストデータから切り出したワードと一致するキーワードに関連付けられた前記デフォルトデータを表示することを特徴とする請求項３又は４記載の表示制御方法。
【請求項６】
前記待ち時間素材は、番組宣伝画像又は広告主からの広告画像であることを特徴とする請求項１ないし５の何れかの請求項記載の表示制御方法。
【請求項７】
起動された処理機能の処理待ち時間に所定ウエブサイトにアクセス可能なリンクボタンを表示することを特徴とする請求項１ないし６の何れかの請求項記載の表示制御方法。
【請求項８】
デジタル放送により受信した待ち時間素材を処理待ち時間に表示部に表示する通信端末であって、受信した待ち時間素材を通信端末の処理内容別に関連付けて記憶部に保存し、起動した処理機能の処理待ち時間に、前記記憶部から当該処理内容に関連付けた待ち時間素材を読み出して前記表示分に表示する制御部を備えることを特徴とする通信端末。
【請求項９】
前記制御部は、前記待ち時間素材を前記通信端末の処理機能別に関連付けたフォルダ単位に保存し、起動した処理機能の処理待ち時間に、当該機能に関連付けたフォルダから待ち時間素材を読み出して前記表示部に表示することを特徴とする請求項８記載の通信端末。
【請求項１０】
前記制御部は、前記待ち時間素材をキーワード別に関連付けたフォルダ単位に保存し、起動したテキストデータを使用する処理機能の処理待ち時間に、当該処理機能で使用するテキストデータからワードを切り出し、前記キーワードと照合して、一致するキーワードに関連付けたフォルダから待ち時間素材を読み出して前記表示部に表示することを特徴とする請求項８又は９記載の通信端末。
【請求項１１】
前記記憶部には前記通信端末の前記機能別の待ち時間素材がデフォルトデータとして保存されており、前記制御部は、起動した処理機能の処理待ち時間に、当該処理機能に関連付けられたフォルダの待ち時間素材が保存されている場合には該待ち時間素材を表示し、該待ち時間素材が保存されていない場合には当該処理機能に関連する前記デフォルトデータを前記表示部に表示することを特徴とする請求項８、９又は１０記載の通信端末。
【請求項１２】
前記記憶部には前記通信端末の前記キーワード別の待ち時間素材がデフォルトデータとして保存されており、前記制御部は、起動したテキストデータを使用する処理機能の処理待ち時間に、当該処理機能で使用するテキストデータからワードを切り出し、前記キーワードと照合して、一致するキーワードに関連付けたフォルダの待ち時間素材が保存されている場合には該待ち時間素材を表示し、該待ち時間素材が保存されていない場合には当該処理機能で使用するテキストデータから切り出したワードと一致するキーワードに関連付けられた前記デフォルトデータを表示することを特徴とする請求項１０又は１１記載の通信端末。
【請求項１３】
前記待ち時間素材は、番組宣伝画像又は広告主からの広告画像であることを特徴とする請求項８ないし１２の何れかの請求項記載の通信端末。
【請求項１４】
起動した処理機能の処理待ち時間に所定ウエブサイトにアクセス可能なリンクボタンを表示することを特徴とする請求項８ないし１３の何れかの請求項記載の通信端末。
【請求項１５】
デジタル放送により受信した待ち時間素材を処理待ち時間に表示部に表示する通信端末のプログラムであって、コンピュータに、受信した待ち時間素材を通信端末の処理内容別に関連付けて記憶部に保存し、起動した処理機能の処理待ち時間に、前記記憶部から当該処理内容に関連付けた待ち時間素材を読み出して前記表示分に表示する制御部として機能させることを特徴とするプログラム。
【請求項１６】
前記制御部は、前記待ち時間素材を前記通信端末の処理機能別に関連付けたフォルダ単位に保存し、起動した処理機能の処理待ち時間に、当該機能に関連付けたフォルダから待ち時間素材を読み出して前記表示部に表示することを特徴とする請求項１５記載のプログラム。
【請求項１７】
前記制御部は、前記待ち時間素材をキーワード別に関連付けたフォルダ単位に保存し、起動したテキストデータを使用する処理機能の処理待ち時間に、当該処理機能で使用するテキストデータからワードを切り出し、前記キーワードと照合して、一致するキーワードに関連付けたフォルダから待ち時間素材を読み出して前記表示部に表示することを特徴とする請求項１５又は１６記載のプログラム。
【請求項１８】
前記記憶部には前記通信端末の前記機能別の待ち時間素材がデフォルトデータとして保存されており、前記制御部は、起動した処理機能の処理待ち時間に、当該処理機能に関連付けられたフォルダの待ち時間素材が保存されている場合には該待ち時間素材を表示し、該待ち時間素材が保存されていない場合には当該処理機能に関連する前記デフォルトデータを前記表示部に表示することを特徴とする請求項１５、１６又は１７記載のプログラム。
【請求項１９】
前記記憶部には前記通信端末の前記キーワード別の待ち時間素材がデフォルトデータとして保存されており、前記制御部は、起動したテキストデータを使用する処理機能の処理待ち時間に、当該処理機能で使用するテキストデータからワードを切り出し、前記キーワードと照合して、一致するキーワードに関連付けたフォルダの待ち時間素材が保存されている場合には該待ち時間素材を表示し、該待ち時間素材が保存されていない場合には当該処理機能で使用するテキストデータから切り出したワードと一致するキーワードに関連付けられた前記デフォルトデータを表示することを特徴とする請求項１７又は１８記載のプログラム。
【請求項２０】
前記待ち時間素材は、番組宣伝画像又は広告主からの広告画像であることを特徴とする請求項１５ないし１９の何れかの請求項記載のプログラム。
【請求項２１】
起動した処理機能の処理待ち時間に所定ウエブサイトにアクセス可能なリンクボタンを表示することを特徴とする請求項１５ないし２０の何れかの請求項記載のプログラム。
【発明の詳細な説明】
【技術分野】
【０００１】
本発明は、処理待ち時間の表示に関し、特に機能別の処理待ち時間における通信端末の表示制御方法、通信端末及びプログラムに関する。
【背景技術】
【０００２】
本発明の関連技術として、特許文献１には、放送局からダウンロードした番組データを一旦蓄積した後に表示する蓄積型番組データの表示に関し、前記番組データのダウンロード中の番組が表示されない期間に、前記番組データの伝送帯域の一部で受信され、蓄積されているＣＭ素材データを表示するデジタル放送システムが記載されている（特許文献１段落００３６〜００４６及び図４、５、６参照）。
【特許文献１】特開２００３−１８４８６号公報
【発明の開示】
【発明が解決しようとする課題】
【０００３】
最近の通信端末においては、デジタル放送の受信機能に加え、カメラ機能、電子メール、インターネット等のデータ通信機能、電話機能、カーナビ機能、電子辞書機能など、多岐に渡る機能が搭載されてきており、かかる高度な付加機能の起動時間及び処理機能の処理時間等によりユーザが処理待ち時間が生じる頻度も増大してきている。
【０００４】
これに対し、蓄積型番組データのダウンロード中に、その伝送帯域の一部で受信、蓄積されたコマーシャル画像等のＣＭ素材データを受信機側で表示するデジタル放送システムは特許文献１に記載されているが、この放送システムは蓄積型番組を対象とするものであるのみならず、受信機の各種機能に関係なく、単に蓄積時間にのみＣＭ素材を表示するものである。
【０００５】
本発明は、以上の事情に鑑みてなされたものであり、処理内容別の待ち時間に好適な表示を行いユーザに待ち時間を感じさせないことを可能とする通信端末の表示制御方法、通信端末及びプログラムを提供するものである。
【課題を解決するための手段】
【０００６】
本発明の第１の表示制御方法は、デジタル放送により受信した待ち時間素材を処理待ち時間に表示部に表示する通信端末の表示制御方法であって、受信した待ち時間素材を通信端末の処理内容別に関連付けて記憶部に保存し、起動された処理機能の処理待ち時間に、前記記憶部から当該処理内容に関連付けられた待ち時間素材を読み出して表示することを特徴とする。
【０００７】
本発明の第１の通信端末は、デジタル放送により受信した待ち時間素材を処理待ち時間に表示部に表示する通信端末であって、受信した待ち時間素材を通信端末の処理内容別に関連付けて記憶部に保存し、起動した処理機能の処理待ち時間に、前記記憶部から当該処理内容に関連付けた待ち時間素材を読み出して前記表示分に表示する制御部を備えることを特徴とする。
【０００８】
本発明の第１のプログラムは、デジタル放送により受信した待ち時間素材を処理待ち時間に表示部に表示する通信端末のプログラムであって、コンピュータに、受信した待ち時間素材を通信端末の処理内容別に関連付けて記憶部に保存し、起動した処理機能の処理待ち時間に、前記記憶部から当該処理内容に関連付けた待ち時間素材を読み出して前記表示分に表示する制御部として機能させることを特徴とする。
【発明の効果】
【０００９】
本発明によれば、通信端末の処理待ち時間にデジタル放送で配信された待ち時間素材が処理内容別に表示されるので、ユーザに待ち時間を感じさせず、焦燥感や退屈感を解消できる。
【発明を実施するための最良の形態】
【００１０】
（実施形態）
（第１の実施形態の構成）
本発明の通信端末の表示制御方法、通信端末及びプログラムの一実施形態をワンセグ等のデジタルテレビ放送を受信可能な携帯端末への適用例により以下説明する。
【００１１】
図１は本発明の第１の実施形態の構成を示す図である。本放送システムは、デジタルテレビ放送局（ＴＶ放送局）２００とデジタルテレビ受信機能を有する携帯端末１００とで構成される。
【００１２】
ＴＶ放送局２００は放送番組素材を出力するＴＶ送出部と、広告主、広告内容（製品）又はタイトル等の付随情報を有する広告素材（ＣＭ素材）を出力するＣＭ送出部と、前記ＴＶ送出部及びＣＭ送出部の各出力を入力し多重化の前処理等を行う送信制御部と、放送番組素材とＣＭ素材とを多重化してデジタル放送のデータ伝送帯域により放送方式で送信するデジタル放送送信部とから構成される。
【００１３】
一方、携帯端末１００は、ＴＶ放送局から送信されたデジタル放送を受信し、同一帯域に多重化された番組素材とＣＭ素材とを多重分離して、放送番組素材とＣＭ素材とを出力するデジタル放送受信部（ＴＶ受信部）と、基地局との通信を行う無線部と、ＴＶ受信部で受信したＣＭ素材を記憶部に記憶し、携帯端末１００の各種の処理内容別の待ち時間においてユーザが待ち時間を伴う操作を実施した際にＣＭ素材を表示部に表示する表示制御を行う受信制御部とを備える。
【００１４】
図２は、本実施形態の携帯端末の構成例を示す図である。本実施形態の携帯端末１００は、無線部１、デジタル放送受信部２、入力部３、メモリ部４、表示部５、各種の機能としてのカメラ部６、通信部７、通話部８、電源部９、その他１０及び制御部１１を備える。各部の機能は以下のとおりである。
【００１５】
無線部１は図示しない基地局との間の無線通信により音声通話の通信及び電子メール、インターネット等のデータ通信を行う機能を有する。デジタル放送受信部２は受信チューナ等を備え、ＴＶ放送局２００から送信されたデジタル放送の信号を受信し、テレビ映像（ＴＶ映像）、テレビ音声（ＴＶ音声）を復調、出力する。入力部３はテンキー、機能キー、各種ボタン等を備え、使用者の操作により携帯端末１００への入力を行う操作部である。メモリ部４は、各種のプログラムを記憶するとともに、本発明の記憶部として機能別フォルダにＣＭ素材ファイル等を記憶するＲＯＭ（Read Only Memory）及びＲＡＭ（Random Access Memory）等を含むメインメモリである。表示部５は液晶表示パネル等の表示デバイスでなり携帯端末１００の待受け画面、メニュー画面、ＴＶ映像、ＣＭ素材等の各種の表示データを表示する。
【００１６】
カメラ部６はデジタルカメラ等で構成され、入力部３からのユーザの撮影操作によりカメラ機能が起動されると、画像データを生成しプレビュー画像として表示部５に表示し、ユーザの撮影操作により撮影データを出力する。通信部７は前記電子メール、インターネット等のブラウザ機能、データ通信機能を制御し、電子メール作成、送受信、Ｗｅｂページの表示等を行う。通話部８は電話通信の発着信、通信制御、通話制御機能を有する。電源部９は携帯端末１０のバッテリの充電、電源供給、電源残量表示等の制御を行う。
【００１７】
制御部１１は、前記機能別のカメラ部６ないし電源部９等の動作を制御する機能、デジタル放送の受信時に、伝送帯域の一部により受信したＣＭ素材ファイルを入力し、ＣＭ素材に関する広告主、広告内容（製品）又はタイトル等の付随情報に基づいて機能別の識別情報である分類コード等により、各ＣＭ素材をメモリ部４のそれぞれ異なるＣＭ素材フォルダ（機能別フォルダ）に振り分けて待ち時間素材として保存する機能、カメラ部６ないし電源部９等の機能別の動作状態での処理待ち時間の検出、長い処理待ち時間（待機状態）を検出して、表示部５に当該機能別のＣＭ素材フォルダより待ち時間素材を読出し、表示部に表示する機能、を備える。
【００１８】
制御部１１は、コンピュータを構成する制御プログラムで動作するＣＰＵ（中央制御装置）と前記メモリ部４のメインメモリとを備え、制御部１１は前記各部を制御し本実施形態の機能を実現する。このため前記ＲＯＭには制御プログラムが格納されており、前記ＣＰＵはＲＯＭの制御プログラムを読み込み、読み込んだ制御プログラムにより制御され、前記各機能部を制御して、本実施形態の前記機能及び以下の動作を実現する。
【００１９】
（第１の実施形態の動作）
次に、本実施形態の携帯端末の表示制御方法、携帯端末及びプログラムの動作を説明する。
【００２０】
図３は本実施形態の携帯端末の動作を示す処理フローチャートを示す図である。ＴＶ放送局２００から受信される広告素材の保存処理手順を示している。
【００２１】
ユーザがＴＶ視聴を希望し入力部３の操作によりデジタル放送受信部２によるデジタル放送の受信機能を起動すると（Ｓ１０１）、ＴＶ放送局２００よりＴＶ番組の伝送帯域により通常の番組放送とテキストや画像等の待ち時間素材のデジタルデータを含むデータ放送が受信される（Ｓ１０２）。
【００２２】
制御部１１は受信される番組放送の番組データは表示部５に出力して表示し（Ｓ１０３）、前記待ち時間素材のデジタルデータについては、前記付随情報により携帯端末の機能別の保存先のフォルダ情報を確認する。
【００２３】
例えばカメラ関連の待ち時間素材か否かを判断し（Ｓ１０５）、カメラ関連の待ち時間素材の場合は、分類コード（１）として「カメラ機能待ち時間用」のフォルダ（１）に保存し（Ｓ１０６）、ステップＳ１０５でカメラ関連の待ち時間素材でない場合は、電子メール等のデータ通信関連の待ち時間素材か否かを判断し（Ｓ１０７）、データ通信関連の待ち時間素材の場合は、分類コード（２）として「通信機能待ち時間用」のフォルダ（２）に保存する（Ｓ１０８）。
【００２４】
また、ステップＳ１０７でデータ通信関連の待ち時間素材でない場合は、同様に後続の判断及び保存処理を繰り返し、最終的にはフォルダ（Ｎ）までの保存処理が行われ得る（Ｓ１０９、Ｓ１１０）。
【００２５】
また、何れかで保存が完了し又は何れにも保存されない場合は、受信継続状態であれば（Ｓ１１１）、ステップＳ１０２に戻り、次の待ち時間素材のデジタルデータが前述と同様に処理される。以上のようにして受信された各待ち時間素材は、付随情報により該当するフォルダがあれば何れかフォルダに格納可能である。
【００２６】
以上の処理により、ユーザが所定機能の長い待ち時間の処理を伴う操作をした際、その待ち時間に表示させるのに適した広告素材が、その付随情報による分類コードによりメモリ部４の記憶領域にフォルダ分けして機能別に保存される。
【００２７】
なお、待ち時間素材は広告主から提供された番組宣伝画像や番組で使用され音楽に対応する広告画像等である。待ち時間素材はメモリ部４に一定期間保存するか、フォルダ単位で最新の一定数を保存するように制御する。
【００２８】
図４はメモリ部４の広告素材の記憶領域の記憶情報を示す図である。制御部１１の制御によりＴＶ送信局２００から受信した広告素材のうち、カメラ機能の起動時に関連する待ち時間素材はフォルダ（１）に、電子メール等の通信機能の起動時に関連する待ち時間素材はフォルダ（２）に、電話機能の起動時に関連する待ち時間素材はフォルダ（３）に、電源機能の起動時に関連する待ち時間素材はフォルダ（４）にというように、メモリ部４の機能別の各フォルダに保存されている。
【００２９】
次に携帯端末の処理待ち時間に待ち時間素材を表示部に表示させる手順について説明する。  
図５はカメラ操作を例とする待ち時間素材の表示の処理フローチャートを示す図である。ユーザがカメラ機能を起動させると（Ｓ２０１）、制御部１１は表示部５にカメラ部６の画像データのプレビューを開始する（Ｓ２０２）。プレビュー状態からユーザが撮影操作を行うと、カメラ部６はプレビュー中の画像を撮影する（Ｓ２０３）。
【００３０】
ここで制御部１１は、処理機能の種類により又は処理開始時より処理時間を計測し、所定時間以上の継続処理と判断すると、待ち時間素材の表示を必要と判断して（Ｓ２０４）、ユーザに待機を促す従来の画像表示に代えて、カメラ機能に関連してメモリ部４のフォルダ（１）に保存されている待ち時間素材を読み込み（Ｓ２０５）、表示部に表示する（Ｓ２０６）。
【００３１】
カメラ撮影の処理が完了し、撮影画像を表示する準備ができると（Ｓ２０７）、制御部１１は待ち時間素材の表示を終了し（Ｓ２０８）、撮影データを表示部に表示する（Ｓ２０９）。また、ステップＳ２０４で、制御部１１は処理時間が短いことを判断すると、ステップＳ２０５〜Ｓ２０８の処理Ａをスキップして撮影データを表示する（Ｓ２０９）。
【００３２】
次に、ユーザが撮影データの表示を確認して、撮影データの保存操作を行うと（Ｓ２１０）、保存処理の待ち時間は長いので、制御部１１は待ち時間素材の表示を必要と判断してステップＳ２０５〜Ｓ２０７と同様の処理Ａによりカメラ機能に関連するフォルダ（１）の待ち時間素材を表示する（Ｓ２１１）。また、ステップＳ２１０で、撮影データを保存せず破棄の操作を行うと、制御部１１は待ち時間は短いと判断して待ち時間素材の表示をせずに、撮影データを破棄する（Ｓ２１４）。
【００３３】
更に、ユーザがカメラ機能による撮影を継続すると（Ｓ２１２）、ステップＳ２０２に戻り、以下ステップＳ２０２〜Ｓ２１４の処理を繰り返す。また、ステップＳ２１２でユーザがカメラ機能の終了の操作を行うと（Ｓ２１２、ＹＥＳ）、表示部４に待ち受け画面又はメニュー画面を表示する（Ｓ２１３）。
【００３４】
また、フォルダに複数の待ち時間素材が保存されている場合には、以上の読み出しは保存順、所定順序、ランダム等の方法で行うことができる。更に、フォルダへのＣＭ素材の保存時に、ＣＭ素材に放送局側等から取得したＣＭ商品等の発売日情報や、広告料情報を付与することにより、商品発売日に該当するＣＭ素材を優先的に表示したり、広告料の高い順にＣＭ素材を優先的に表示する等の方法で行うことができる。
【００３５】
以上の動作により、カメラ機能の起動時には、処理待ち時間にカメラに関連付けられたフォルダ（１）の例えばカメラやプリントに関連した待ち時間素材を表示部に表示される。同様に電子メール等の通信機能の起動時には、電子メールの作成及び送受信動作に関連してフォルダ（２）の電子メールに関連する待ち時間素材が表示部に表示される。
【００３６】
従って、ユーザにとっては、処理機能に関連性のある好適な広告素材が表示されることにより、処理時間に表示画像等に興味が湧き注視することになるから、高い広告効果を実現することができる。
【００３７】
また、起動中の機能の処理待ち時間に待ち時間の表示素材が表示されるのでユーザのイライラ解消になり、更に当該機能に関連する表示素材が表示されるから、表示素材が広告素材の場合は広告効果が期待でき、デジタル放送の発信者、広告提供者等に新しい広告媒体を提供することが可能である。
【００３８】
（第２の実施形態）
第１の実施形態では、携帯端末の処理中になった機能別の操作に対応して、当該機能に対応する画像情報を処理待ち時間に表示する例を示したが、本発明の第２の実施形態として、処理中の機能で取り扱い中のデータに関連付けて待ち時間素材を選択表示するように構成することが可能である。
【００３９】
図６は第２の実施形態の携帯端末の構成例を示す図である。以下、第２の実施形態の携帯端末の表示制御方法、携帯端末及びプログラムについて説明する。
【００４０】
本発明の第２の実施形態の携帯端末１００は、図２に示す構成例と同様であるが、制御部１１によるメモリ部４へのＣＭ素材の保存、読み出し及び表示の制御機能は第１の実施形態と以下のように異なる。
【００４１】
つまり、制御部１１は、前記機能別のカメラ部６ないし電源部９等の動作を制御する機能、デジタル放送の受信時に、伝送帯域の一部により受信したＣＭ素材ファイルを入力し、ＣＭ素材の付随情報によりキーワード別の分類コード等により、各ＣＭ素材をメモリ部４のそれぞれ異なるＣＭ素材フォルダに振り分け待ち時間素材として保存する機能、携帯端末の起動機能において取り扱うテキストデータからキーワードを切り出す機能、機能別の動作状態での処理待ち時間を検出し、所定時間以上の長い処理待ち時間（待機状態）等で、切り出したキーワードに一致する分類コードのＣＭ素材フォルダから、待ち時間素材を読出し、表示部５に表示する機能、を備える。
【００４２】
このための制御プログラムは前記ＲＯＭに格納されており、ＣＰＵは該ＲＯＭの制御プログラムを読み込み、読み込んだ制御プログラムにより制御され、前記各機能部を制御して、本実施形態の前記機能及び以下の動作を実現する。
【００４３】
（第２の実施形態の動作）
図７は本実施形態の携帯端末の動作の処理フローチャートを示す図である。ＴＶ放送局２００から受信される広告素材の保存処理手順を示している。
【００４４】
ユーザがＴＶ視聴を希望し入力部３の操作によりＴＶ受信部２によるデジタル放送の受信機能を起動すると（Ｓ３０１）、ＴＶ放送局よりＴＶ番組の伝送帯域により通常の番組放送とテキストや画像等の待ち時間素材のデジタルデータを含むデータ放送が受信される（Ｓ３０２）。
【００４５】
制御部１１はＴＶ受信部２から入力される番組放送の番組データは、表示部５に出力して表示し（Ｓ３０３）、前記待ち時間素材のデジタルデータについては、前記付随情報により携帯端末のキーワード別の保存先のフォルダ情報を確認する。
【００４６】
例えばカメラ関連の待ち時間素材か否かを判断し（Ｓ３０５）、カメラ関連の待ち時間素材の場合は、キーワードでなる分類コード（ａ）としてフォルダ（ａ）に保存し（Ｓ３０６）、ステップＳ３０５でカメラ関連の待ち時間素材でない場合は、電子メール等のデータ通信関連の待ち時間素材か否かを判断し（Ｓ３０７）、データ通信関連の待ち時間素材の場合は、キーワードでなる分類コード（ｂ）としてフォルダ（ｂ）に保存する（Ｓ３０８）。また、ステップＳ３０８でデータ通信関連の待ち時間素材でない場合は、同様に後続の判断及び保存処理を繰り返し、最終的にはフォルダ（ｎ）までの保存処理が行われ得る（Ｓ３０９、Ｓ３１０）。
【００４７】
また、何れかで保存が完了し又は何れにも格納されない場合は、受信継続状態であれば（Ｓ３１１）、ステップＳ３０２に戻り、次の待ち時間素材のデジタルデータが前述と同様に処理される。以上のようにして受信された各待ち時間素材は、付随情報により該当するフォルダがあれば何れかフォルダに格納可能である。
【００４８】
以上の処理により、ユーザが所定機能の長い待ち時間の処理を伴う操作をした際、その待ち時間に表示させるのに適した広告素材が、広告素材データに付随するキーワード別に、メモリ部４の記憶領域にフォルダ分けして保存される。
【００４９】
図８はメモリ部４の広告素材の記憶領域の記憶情報を示す図である。メモリ部４には、制御部１１の制御によりＴＶ送信局２００から受信した広告素材をのうち、カメラに関連する待ち時間素材はフォルダ（ａ）に、車に関連する待ち時間素材はフォルダ（ｂ）に、食品に関連する待ち時間素材はフォルダ（ｃ）に、携帯電話機に関連する待ち時間素材はフォルダ（ｄ）にというように、キーワード別に各フォルダに保存されている。
【００５０】
次に携帯端末の処理待ち時間に待ち時間素材を表示部に表示させる手順について説明する。
【００５１】
図９は電子メール操作を例とする待ち時間素材の表示の処理フローチャートを示す図である。ユーザが電子メール機能を起動させると（Ｓ４０１）、制御部１１は表示部５に送信する電子メールの作成画面の表示を開始する（Ｓ４０２）。ユーザがメール文を入力すると、制御部１１は当該メール文からキーワードを切り出す（Ｓ４０３）。
【００５２】
ユーザがメール送信を行うと（Ｓ４０４）、制御部１１は、処理内容により又は処理開始時より処理時間を計測し、所定時間以上の継続処理と判断すると、待ち時間素材の表示を必要と判断して（Ｓ４０５）、電子メールのタイトル又は本文等の最も使用頻度の高いワード等を切り出し、メモリ部４のフォルダのキーワード（分類コード）と照合し、照合の取れたフォルダから待ち時間素材を読み込み（Ｓ４０６）、表示部に表示する（Ｓ４０７）。
【００５３】
メールの送信処理が完了すると（Ｓ４０８）、制御部１１は待ち時間素材の表示を終了し（Ｓ４０９）、処理終了表示を行う（Ｓ４１０）。また、ステップＳ４０５で、制御部１１は処理時間が短いと判断すると、ステップＳ４０６〜Ｓ４０９の処理をスキップして処理終了を表示する（Ｓ４１０）。
【００５４】
次に、ユーザがメール送信終了の表示を確認して、メール送信動作を継続する場合は、ステップＳ４０１に戻りＳ４０１〜Ｓ４１０と同様の処理を行い（Ｓ４１１）。また、ステップＳ４１１で、ユーザがメール送信の終了の操作を行うと（Ｓ４１１、ＹＥＳ）、表示部４に待ち受け画面又はメニュー画面を表示する（Ｓ４１２）。
【００５５】
以上の動作により、電子メール機能のテキストデータの入力時には、処理待ち時間に電子メールのテキスト文のキーワに関連付けられたフォルダの待ち時間素材が表示部に表示される。
【００５６】
同様にインターネット機能のテキストデータの入力時には、当該テキスト文のキーワに関連付けられたフォルダの待ち時間素材が読み出されて表示部に表示される。また、第２の実施形態でもフォルダに複数の待ち時間素材が保存されている場合には、第１の実施形態と同様に保存順、所定順序、ランダム等の表示方法とし、また、ＣＭ素材にＣＭ商品等の発売日情報や、広告料情報を付与することにより、商品発売日に該当するＣＭ素材を優先的に表示したり、広告料の高い順にＣＭ素材を優先的に表示する等の表示方法とすることができる。
【００５７】
従って、ユーザにとっては、テキスト入力に関連性のある広告素材が表示されることにより、処理時間に表示画像等に興味が湧き注視することになるから、高い広告効果を実現することができる。
【００５８】
本実施形態では、電子メールの送受信中の画面であれば、第１の実施形態では通信関係（メール関連）の待ち時間素材を表示するのに対し、第２の実施形態ではメール本文等に用いられている言葉をキーワードの分類コードと照合し、メール内容と関連性の高い待ち時間素材を表示させることが可能であるからユーザのイライラの解消に加え、処理待ち時間に処理内容と密接に関連する広告等を表示できるから高い広告効果を望むことが可能である。
【００５９】
（第３の実施形態）
以上の実施形態ではメモリ部に機能別又はキーワード別の待ち時間素材を格納する実施形態を説明したが、本発明は両方の待ち時間素材を保存して何れの機能をも実現可能に構成することができる。
【００６０】
図１０は本発明の第３の実施形態の携帯端末の構成例を示す図である。本実施形態の携帯端末１００は、メモリ部１３の待ち時間素材の記憶領域の記憶情報及び制御部１１の制御が異なり、制御部１１は実質的に第１及び第２の実施形態の各機能を備える。
【００６１】
図１１は第３の実施形態のメモリ部１３の広告素材の記憶領域の記憶情報を示す図である。本実施形態ではＴＶ放送局２００から受信した待ち時間素材が機能別及びキーワード別に保存される。
【００６２】
携帯端末１００の待ち時間素材の保存処理においては、メモリ部１３に機能別又はキーワード別の両方のフォルダを設けて、制御部１１は図３及び図７に示すステップＳ１０５〜Ｓ１１０の判断及び保存機能とステップＳ３０５〜Ｓ３１０の判断及び保存機能を全て行う。これにより付随情報に基づいて、図１１に示すように該当する両フォルダに待ち時間素材が保存される。
【００６３】
また、携帯端末１００の待ち時間素材の表示処理においては、制御部１１は図５に示す表示処理の機能と、図９に示す表示処理の機能を機能別に予め対応付けを行い、起動した機能に応じて、何れかの処理機能を実行する。例えば、カメラ機能、電話機能及び電源機能では図５に示す表示処理を実行し、電子メール、インターネット等の通信機能では図９に示す表示処理を実行するように処理動作を切替えることにより実施可能である。
【００６４】
（第４の実施形態）
第１〜３の実施形態においては、ＴＶ放送局から受信した処理待ち時間素材をメモリ部に保存して表示に使用する構成例を示したが、受信するＴＶ放送局又は送信データから処理待ち時間素材を取得することが困難である等の場合に備えて、予備的等に携帯端末の製造時等にメモリ部に予め保存したデフォルト待機画像を記憶しておくと好適である。
【００６５】
図１２は第４の実施形態のメモリ部の広告素材の記憶領域の記憶情報を示す図である。本実施形態ではＴＶ放送局２００から受信した待ち時間素材が機能別及びキーワード別に保存され得るとともに、デフォルト待機画像を機能別に設ける。本実施形態の制御部１１での待ち時間素材の保存処理及び待ち時間素材の表示処理は前述の実施形態の動作と同様であるが、制御部１１は、例えば待ち時間素材の表示はＴＶ放送局２００から受信し保存したものを優先し、当該フォルダに待ち時間素材が保存されていない場合にデフォルト待機画像のフォルダから待ち時間素材を読み出して表示するように制御する。保有するデフォルト待機画像は機能別に代えてキーワード別のものとする又は両方とすることも可能である。
【００６６】
本実施形態により処理待ち時間にデジタル放送による待ち時間の表示素材が表示されるのでユーザのイライラの解消が可能であるとともに、ＣＭ素材の場合は広告効果が望め、更にデジタル放送による待ち時間の表示素材が存在しない場合には、デフォルト待機画像の表示が可能であるから、確実に待ち時間の表示が可能となる。
【００６７】
以上の実施形態では、記憶部に機能別及び／又はキーワード別の処理待ち時間の待ち時間素材を保存して機能別及び／又はキーワード別の処理待ち時間の待ち時間素材を読み出して表示部に表示する構成例を示したが、本発明は、記憶部にこれらを含む処理内容別に待ち時間素材を保存し、動作中の処理内容に応じてその処理待ち時間に前記待ち時間素材を読み出して表示する実施形態が構成可能である。
【００６８】
つまり、デジタル放送により受信した待ち時間素材を処理待ち時間に表示部に表示する通信端末の表示制御方法であって、受信した待ち時間素材を通信端末の処理内容別に関連付けて記憶部に保存し、起動された処理機能の処理待ち時間に、前記記憶部から当該処理内容に関連付けられた待ち時間素材を読み出して表示するように構成することが可能である。
【００６９】
また、以上の実施形態の待ち時間素材の表示部への表示においては、待ち時間素材の表示画面に、ＷＥＢのホームページへのリンクボタンを表示し、ユーザが該リンクボタンを選択した場合、実施中の処理とは別ウィンドウの形でリンク機能が立ち上がり、より情報量の多いホームページへの誘致を図ることを可能とする実施形態を構成することができる。
【００７０】
更に表示部への表示項目を追加し、待ち時間素材の表示に、更に処理内容を示す表示を同時に表示することによりユーザに処理内容を通知するように構成することができる。例えばカメラ画像が保存中であれば、「保存中」と表示させる事で、ユーザに現在行っている処理内容を示すように構成することができる。
【００７１】
以上の各実施形態の機能はＲＯＭに格納された制御プログラムにより実現可能であり、ＣＰＵが該ＲＯＭの制御プログラムを読み込み、読み込んだ制御プログラムにより制御され前記各機能部を制御して前記機能及び動作を実現する。
【００７２】
以上、本発明を携帯電話機等の携帯端末への適用例を示したが、本発明は携帯端末に限られるものではなく、ＰＣ等の各種の情報処理端末等、通信端末に適用可能である。この場合、通信端末の機能としてプリンタ、イメージスキャナ等の周辺装置等の機能別の処理待ち時間へ適用可能であることはいうまでもない。
【図面の簡単な説明】
【００７３】
【図１】本発明の第１の実施形態の構成を示す図である。
【図２】本実施形態の携帯端末の構成例を示す図である。
【図３】本実施形態の携帯端末の動作を示す処理フローチャートを示す図である。
【図４】メモリ部４の広告素材の記憶領域の記憶情報を示す図である。
【図５】カメラ操作を例とする待ち時間素材の表示の処理フローチャートを示す図である。
【図６】本発明の第２の実施形態の携帯端末の構成例を示す図である。
【図７】本実施形態の携帯端末の動作の処理フローチャートを示す図である。
【図８】メモリ部４の広告素材の記憶領域の記憶情報を示す図である。
【図９】電子メール操作を例とする待ち時間素材の表示の処理フローチャートを示す図である。
【図１０】本発明の第３の実施形態の携帯端末の構成例を示す図である。
【図１１】第３の実施形態のメモリ部１３の広告素材の記憶領域の記憶情報を示す図である。
【図１２】本発明の第４の実施形態のメモリ部の広告素材の記憶領域の記憶情報を示す図である。
【符号の説明】
【００７４】
１  無線部
２  デジタル放送受信部
３  入力部
４、１２、１３、１４  メモリ部（記憶部）
５  表示部
６  カメラ部
７  通信部（電子メール等のデータ通信）
８  電話部
９  電源部
１１  制御部
１００  携帯端末
２００  テレビ放送局
【図１】
2009124590.tif 000003
【図２】
2009124590.tif 000004
【図３】
2009124590.tif 000005
【図４】
2009124590.tif 000006
【図５】
2009124590.tif 000007
【図６】
2009124590.tif 000008
【図７】
2009124590.tif 000009
【図８】
2009124590.tif 000010
【図９】
2009124590.tif 000011
【図１０】
2009124590.tif 000012
【図１１】
2009124590.tif 000013
【図１２】
2009124590.tif 000014